【事件の表示】
　特許第３０３３７９０号「循環式パチンコ機」の請求項１、２に係る特許に対する特許異議の申立てについて、次のとおり決定する。
【結　論】
　訂正を認める。
　特許第３０３３７９０号の請求項１ないし２に係る特許を取り消す。
【理　由】
第１．手続の経緯
　本件特許第３０３３７９０号の請求項１、２に係る発明は、平成３年７月３１日に特許出願され、平成１２年２月１８日にその設定登録がなされ、その後、上田実より特許異議の申立てがなされ、平成１２年１２月２０日付けで取消理由通知がなされ、その指定期間内である平成１３年３月９日に訂正請求がなされたものである。
　　　　
第２．訂正の適否についての判断
１．訂正の内容
　平成１３年３月９日付けの訂正請求書の内容は、以下のとおりである。
　i．訂正事項ａ
　特許請求の範囲の請求項１の記載を、
　「発射レール上の打球位置から発射されて再び打球位置へ還元される１群のパチンコ球が循環する循環経路の途中には、前記パチンコ球が摺接して同パチンコ球が自転するように形成されたクリーニング部材と、前記パチンコ球を移送する球送り出し機構とがそれぞれ設置され、しかも、前記循環経路の途中にはパチンコ球が相互に接して配列される配列通路部が設けられ、前記配列通路部の内側に前記クリーニング部材が配置され、前記配列通路部の近傍には前記球送り出し機構が配置されることによって、同球送り出し機構の送り力が前記配列通路部に配列されたパチンコ球の相互の接触によって伝達されるように構成され、前記クリーニング部材が配設された前記配列通路部に蓋板が取外し可能に設けられ、この蓋板を取外すことによって前記クリーニング部材が交換可能となっていることを特徴とする循環式パチンコ機。」と訂正する。
　　　
　ii．訂正事項ｂ
　特許明細書の段落【０００４】の記載を、
　「【課題を解決するための手段】　この発明の請求項１に係る循環式パチンコ機は、発射レール上の打球位置から発射されて再び打球位置へ還元される１群のパチンコ球が循環する循環経路の途中には、前記パチンコ球が摺接して同パチンコ球が自転するように形成されたクリーニング部材と、前記パチンコ球を移送する球送り出し機構とがそれぞれ設置され、しかも、前記循環経路の途中にはパチンコ球が相互に接して配列される配列通路部が設けられ、前記配列通路部の内側に前記クリーニング部材が配置され、前記配列通路部の近傍には前記球送り出し機構が配置されることによって、同球送り出し機構の送り力が前記配列通路部に配列されたパチンコ球の相互の接触によって伝達されるように構成され、前記クリーニング部材が配設された前記配列通路部に蓋板が取外し可能に設けられ、この蓋板を取外すことによって前記クリーニング部材が交換可能となっている。また、請求項２に係る循環式パチンコ機は、請求項１に記載の循環式パチンコ機であって、クリーニング部材は、球送り出し機構の下流側に位置する配列通路部に対してのみ配置されている。」と訂正する。
　　　　
　iii．訂正事項ｃ
　特許明細書の段落【０００５】の記載を、
　「【作用】　したがって、請求項１に係る循環式パチンコ機において、発射レール上の打球位置から発射されて再び打球位置へ還元される１群のパチンコ球が循環する循環経路の途中に配置されたクリーニング部材に対しパチンコ球が摺接して同パチンコ球が自転することによって、これらパチンコ球が磨かれる。特に、前記循環経路の配列通路部の内側に前記クリーニング部材が配置され、球送り出し機構の送り力が、前記配列通路部に配列されたパチンコ球の相互の接触によって伝達される構成にしてある。このため、配列通路部の各パチンコ球には前記球送り出し機構の送り力がそれぞれ作用する。特に、前記クリーニング部材が配設された前記配列通路部に蓋板が取外し可能に設けられるため、この蓋板を取外すことによって前記クリーニング部材を交換することができる。また、請求項２に係る循環式パチンコ機において、球送り出し機構の下流側に位置する配列通路部に対してのみ配置されたクリーニング部材によってパチンコ球を効率よく磨くことができる。さらに、球送り出し機構の上流側に位置する配列通路部等の通路部分に対してクリーニング部材を配置するスペースを確保する必要がないばかりでなく、その通路部分において、クリーニング部材に干渉してパチンコ球が詰まる不具合も生じない。」と訂正する。
　   
２．訂正の目的の適否、新規事項の有無及び拡張変更の存否
　上記訂正事項ａは、特許明細書の特許請求の範囲の請求項１に記載された発明に、「クリーニング部材が配設された配列通路部に蓋板が取外し可能に設けられ、この蓋板を取外すことによって前記クリーニング部材が交換可能となっている」という限定要件を付加しようとするものであるから、特許請求の範囲の減縮を目的とするものであり、また、上記訂正事項ｂ、ｃは、前記特許請求の範囲の減縮に伴って、減縮された特許請求の範囲の記載と発明の詳細な説明の記載とを整合させるため、課題を解決するための手段及び作用を訂正する、明りょうでない記載の釈明を目的とするものであり、そして、これらの訂正事項ａ、ｂ、ｃは、特許明細書に記載された事項の範囲内において訂正するものであるから新規事項の追加に該当せず、また、実質上特許請求の範囲を拡張し又は変更するものでもない。
　　　
３．むすび
　したがって、上記訂正は特許法第１２０条の４第３項で準用する平成６年法律第１１６号による改正前の特許法第１２６条第１項ただし書き及び第２項の規定に適合するので、当該訂正を認める。
　　　　
第３．特許異議申立てについての判断
１．本件発明
　本件請求項１に係る発明は、平成１３年３月９日付けの訂正明細書及び図面の記載からみて、その特許請求の範囲の請求項１(前記２．(１)訂正事項ａ参照）に記載された事項により特定されるものである。(以下、「本件発明１」という。)
　また、本件請求項２に係る発明は、平成１３年３月９日付けの訂正明細書及び図面の記載からみて、その特許請求の範囲の請求項２に記載された次の事項により特定されるものである。(以下、「本件発明２」という。)
　「【請求項２】請求項１に記載の循環式パチンコ機であって、クリーニング部材は、球送り出し機構の下流側に位置する配列通路部に対してのみ配置されていることを特徴とする循環式パチンコ機。」
　　　
２．取消理由の概要 
　当審が平成１２年１２月２０日付けで通知した取消理由は、本件発明１、２の特許は、刊行物である下記の甲第１号証乃至甲第３号証に記載された発明に基づいて当業者が容易に発明をすることができたものであり、特許法第２９条第２項の規定に違反してなされたものであるから、取り消されるべきというものである。
　甲第１号証：実願昭５４−１５３３７７号（実開昭５６−７１２７９号）の全文明細書及び図面
　甲第２号証：実願昭５４−１８０８４９号（実開昭５６−９８２９１号）の全文明細書及び図面
　甲第３号証：特公昭５７−５４１３７号公報
　　　　
３．刊行物に記載の発明
　（１）甲第１号証に記載の発明
　i．甲第１号証〔実願昭５４−１５３３７７号（実開昭５６−７１２７９号）の全文明細書及び図面〕には、パチンコ機に関し、以下の記載が認められる。
　「パチンコ球の供給部(１)及び同送出部(２)を有し、駆動装置(３)により駆動されるパチンコ球の送り装置(４)；前記送出部(２)に開口して設けられたパチンコ球の通路(５)；該通路に臨ませて設けられた摩擦部材(６)；前記通路に連通させた負圧集塵装置(７)；からなることを特徴とするパチンコ球搬送装置。」（甲第１号証第１頁第５〜１１行）、
　「次に、前記通路５はガイド部材２６により、前記送出部２、排出樋２０間に形成される。そしてガイド部材２６は、第１図、及び第４図〜第８図に示す如く適宜の形状に形成してよい。摩擦部材６は、第１図、第４図〜第７図に示す如く一例としてブラシを用いる。このブラシは天然の毛髪、又は合成樹脂、あるいは金属等による線状体又は片状体を任意に用いてよい。２７はその柄部、２８はケーシングを示す。又前記摩擦部材６としてのブラシの形態については、第１図、第４図に示すものの外、第５図、第６図に示す如く適宜に変形してもよい。」（同第２頁第２０行〜第３頁第１１行）、
　「又第９図に示す如くフェルト片３３を柄部２７に設けたものでもよく、第１０図に示す如く軟質の合成樹脂又はゴム等によるスポンジ体３４を設けたものでもよい。」（同第３頁第１９行〜第４頁第２行）、
　「次に、この考案の装置の作用について述べると、球１２は送り装置４により、その供給部１から送出部２に送られ、次いで通路５に押入させられ、かつ押上げられる。この押上げ作用により球１２は摩擦部材６に接触して摩かれ、又付着していた塵挨を除かれる。」（同第４頁第１８行〜第５頁第３行）。
　　　　
　ii．そこで、甲第１号証における前記摘示の記載及び図面第１、６乃至１０図を検討すると、通路５に進入したパチンコ球１２が摩擦部材６とガイド部材２６とに挟まれた状態で摺接して移送される実施例が図示されているところ、パチンコ球１２に対する前記摩擦部材６とガイド部材２６の摩擦力がその材質の相違により異なっていることは技術常識であるから、パチンコ球１２が前記両部材に摺接して移送される過程で摩擦力の差により自転することは明らかである。
　また、パチンコ球１２は送り装置４により通路５に押入させられ、かつ押上げられて移送されるとともに、パチンコ球１２は前記通路５に配置された摩擦部材６に接触して摩かれ、又付着していた塵挨を除かれると記載されるところから、前記通路５内に相互に接して配列されたパチンコ球に対して、送り装置４の送り力がパチンコ球１２の相互の接触によって伝達されて移送されるとともに、前記摩擦部材６が前記送り装置４の下流側に位置する前記通路５にのみ配置されていることも明らかである。
　そうすると、甲第１号証には以下の発明が記載されているものと認められる。
　「パチンコ球が移送される経路の途中には、前記パチンコ球が摺接して同パチンコ球が自転するように形成された摩擦部材６と、前記パチンコ球を移送する送り装置４とがそれぞれ設置され、しかも、前記経路の途中にはパチンコ球が相互に接して配列される通路５が設けられ、前記通路５の内側に前記摩擦部材６が配置され、前記通路５の近傍には前記送り装置４が配置されることによって、同送り装置４の送り力が前記通路５に配列されたパチンコ球の相互の接触によって伝達されるように構成されるとともに、前記摩擦部材６は、前記送り装置４の下流側に位置する前記通路５に対してのみ配置されているパチンコ機。」（以下、「甲第１号証発明」という。）
　　　　
　（２）甲第２号証に記載の発明
　i．甲第２号証〔実願昭５４−１８０８４９号（実開昭５６−９８２９１号）の全文明細書及び図面〕には、パチンコ機に関し、以下の記載が認められる。
　「パチンコ球の供給部(１)及び同送出部(２)を有し、駆動装置(３)により駆動されるパチンコ球の送り装置(４)；前記送出部(２)に開口して設けられたパチンコ球の通路(５)；該通路に臨ませて設けられた摩擦部材(６)；前記通路に連通させた負圧集塵装置(７)；前記通路(５)の温度を上昇せしめる熱発生装置(８)からなることを特徴とするパチンコ球搬送装置。」（甲第２号証第１頁第５〜１２行）、
　「又摩擦部材６については、第１図、第４図〜第７図に示す如くブラシ６ａであってもよく、第８図に示す如く皮革６ｂでもよく、第９図に示す如く布又は不織布６ｃでもよく、第１０図に示す如くフェルト６ｄでもよく、第１１図に示す如く弾性体のスポンジ６ｅでもよい。そして前記ブラシ６ａは、天然の毛髪、又は合成樹脂製の、又はその他弾性体製の線状体及び片状体等を、又はその他公知の摩擦部材を任意に用いてよい。」（同第２頁第２０行〜第３頁第９行）、
　「この考案の装置の作用について述べると、まず、球９は送り装置４の回動により、その供給部１から送出部２に送られ、ついで通路５に押入させられ、かつ押上げられる。この押上げ作用により玉９は摩擦部材６に接触して磨かれ、かつ除塵される。」（同第４頁第１５〜２０行）」。
　　　　
　ii．甲第２号証における前記摘示の記載及び図面第１、４乃至１１図によれば、甲第２号証には、甲第１号証と同様の発明（以下、「甲第２号証発明」という。）が記載されているものと認められる。
　　　　　
　（３）甲第３号証に記載の発明
　i．甲第３号証〔特公昭５７−５４１３７号公報〕には、循環式パチンコ機に関し、以下の記載が認められる。
　「遊技盤の側方上部寄りに盤面玉の発射装置を設け、該遊技盤の下部にはその発射装置によって発射されてアウト又はセイフとなって落下してくる盤面玉を回収して押上げる玉上げ装置を設け、該玉上げ装置と前記発射装置との間には循環する盤面玉を案内するパイプを設け、該玉上げ装置は該遊技盤の下部に貸玉を供給する制御装置と連動連繋し、該制御装置はまた前記発射装置及びモータに連動連繋し、該モータはツマミ及び押釦によって駆動可能とし、該ツマミは前記発射装置に連動連繋したことを特徴とする盤面玉が循環するパチンコ機」（甲第３号証第１頁第１欄第１６〜２７行）、
　「第１図において、１は遊技盤である。該遊技盤１の側方上部寄りに盤面玉２の発射装置３を設けている。他方、該遊技盤１の下部裏面には第２図に示すようにアウト又はセーフとなって落下してくる盤面玉２を押し上げ循環させる玉上げ装置４を設けている。再び第１図において、５は遊技盤１における発射装置３から上方に亘って弧状に敷設されるガイドであり、６はセイフ玉穴、７はアウト玉穴である。８は受皿であり貸玉９を受け入れるものである。１０はツマミであり、１１は賞玉用受皿である。再び、第２図において、１２は前記発射装置３と玉上げ装置４とを連結するパイプであり、その途中に研磨部１３が設けられている。」（同第１頁第２欄第８〜２２行）、
　「＜盤面玉循環＞発射装置３の玉打上げ槌によって発射された盤面玉２はガイド５に沿って上昇した後落下するが、そのうちアウト玉は盤面アウト玉穴７から帰還路１４を経て玉上げ装置４に回収される。他方、セイフ玉は盤面セイフ玉穴６から帰還路１５を経て玉上げ装置４に回収される過程において、第５図に示すように、前記アーム２２と同様の構造のセイフ玉検知アーム３８ｂを押上げ、その数だけ賞玉切棒３７を動作させる。かくて、アウト玉、セイフ玉は玉上げ歯車４ａにより追り上げられて玉磨部１３を通過し、第６図に示すように発射装置３に戻り、ワンサイクルの循環を終了し、以後同様の循環が行われる。」（同第２頁第４欄第９〜２２行）。
　　　
　ii．甲第３号証における前記摘示の記載及び図面第１、２、４図によれば、甲第３号証には以下の発明が記載されているものと認められる。
　「ガイド５上の打玉位置から発射されて再び打玉位置へ還元される１群のパチンコ玉が循環する循環経路の途中には、前記パチンコ玉を研磨する研磨部１３と、前記パチンコ玉を移送する玉上げ装置４とがそれぞれ設置され、しかも、前記循環経路の途中にはパチンコ玉が相互に接して配列されるパイプ１２が設けられ、前記パイプ１２の端部に前記研磨部１３が配置され、前記パイプ１２の近傍には前記玉上げ装置４が配置されることによって、同玉上げ装置４の送り力が前記パイプ１２内に配列されたパチンコ玉の相互の接触によって伝達されるように構成されるとともに、前記研磨部１３は、玉上げ装置４の下流側に位置する前記パイプ１２の端部に対してのみ配置されている循環式パチンコ機。」（以下、「甲第３号証発明」という。）
　　　　
４．本件発明１と甲第３号証発明との対比検討
　（１）本件発明１と甲第３号証発明とを対比すると、両者はいずれも循環式パチンコ機であって、甲第３号証発明における、「ガイド５」、「研磨部１３」、「玉上げ装置４」、「パイプ１２」は、それぞれ、本件発明１における、「発射レール」、「クリーニング部材」、「球送り出し機構」、「配列通路部」に相当する。
　そうすると、本件発明１と甲第３号証発明の両者は、以下の点でそれぞれ、一致ならびに相違するものと認められる。
　　　
　一致点．「発射レール上の打球位置から発射されて再び打球位置へ還元される１群のパチンコ球が循環する循環経路の途中には、クリーニング部材と、前記パチンコ球を移送する球送り出し機構とがそれぞれ設置され、しかも、前記循環経路の途中にはパチンコ球が相互に接して配列される配列通路部が設けられ、前記配列通路部に前記クリーニング部材が配置され、前記配列通路部の近傍には前記球送り出し機構が配置されることによって、同球送り出し機構の送り力が前記配列通路部に配列されたパチンコ球の相互の接触によって伝達されるように構成される循環式パチンコ機。」
　　　　
　相違点Ａ．クリーニング部材が配設された配列通路部について、本件発明１では、パチンコ球が摺接して同パチンコ球が自転するように形成されたクリーニング部材が前記配列通路部の内側に配置される構成を備えているのに対して、甲第３号証発明では、前記構成を備えていない点。
　相違点Ｂ．本件発明１では、配列通路部に蓋板が取外し可能に設けられ、この蓋板を取外すことによってクリーニング部材が交換可能となっている構成を備えているのに対して、甲第３号証発明では、前記構成を備えていない点。
　　　
　（２）相違点の検討
　i．相違点Ａについて
　甲第１号証には、パチンコ球が摺接して同パチンコ球が自転するように形成された摩擦部材６がパチンコ球が移送される通路５の内側に配置され、前記通路５の近傍に配置される送り装置４の送り力が前記通路５に配列されたパチンコ球の相互の接触によって伝達されるように構成されるパチンコ機の発明（甲第１号証発明）が開示されており、甲第１号証発明における、「摩擦部材６」、「通路５」、「送り装置４」は、それぞれ、本件発明１における、「クリーニング部材」、「配列通路部」、「球送り出し機構」に相当するから、甲第３号証発明における、クリーニング部材が配置される配列通路部について、前記甲第１号証発明を組み合わせて、相違点Ａにかかる本件発明の構成のようにすることは、当業者が容易に想到できるものと認められる。
　　　
　ii．相違点Ｂについて
　パチンコ機の技術分野において、パチンコ球の配列通路部の内側にクリーニング部材を配置するときに、前記配列通路部に蓋板を取外し可能に設け、この蓋板を取外すことによって前記クリーニング部材を交換可能とする構成は周知技術（例えば、実願昭５５−２７１２５号（実開昭５６−１３０７８３号）の全文明細書及び図面、特開昭５７−１３７３号公報、実願昭５３−８５２７８号（実開昭５５−２３４９号）の全文明細書及び図面）であるから、甲第３号証発明における、クリーニング部材が配置される配列通路部について、前記周知技術を採用して、相違点Ｂにかかる本件発明の構成のようにすることは、当業者が適宜になしうるものと認められる。
　　　
　（３）よって、本件発明１は、刊行物である甲第３号証及び甲第１号証に記載された発明に基づいて当業者が容易に発明をすることができたものと認められるので、特許法第２９条第２項の規定により特許を受けることができない。
　　
５．本件発明２と甲第３号証発明との対比検討
　本件発明２と甲第３号証発明とを対比すると、本件発明１を引用する構成部分における甲第３号証発明との相違点については、前記４．に対比検討したとおりである。
　また、本件発明２において新たに構成を特定した部分については、甲第３号証発明には研磨部１３（本件発明２におけるクリーニング部材）が玉上げ装置４（同じく球送り出し機構）の下流側に位置するパイプ１２（同じく配列通路部）の端部に対してのみ配置されている構成が開示され、また、甲第１号証発明には摩擦部材６（同じくクリーニング部材）が送り装置４（同じく球送り出し機構）の下流側に位置する通路５（同じく配列通路部）に対してのみ配置されている構成が開示されているところ、これらの構成は本件発明２の新たに構成を特定した部分に相当するものと認められる。
　してみると、本件発明２は、刊行物である甲第３号証及び甲第１号証に記載された発明に基づいて当業者が容易に発明をすることができたものと認められるので、特許法第２９条第２項の規定により特許を受けることができない。
　　　　
６．むすび
　以上のとおりであるから、本件請求項１、２に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年７月１０日（２００１．７．１０）
【訂正の要旨】
訂正の要旨
異議２０００−７３９０３　特許第３０３３７９０号
１．特許請求の範囲の減縮を目的として、
　特許明細書の特許請求の範囲の請求項１の記載を、
「【請求項１】　発射レール上の打球位置から発射されて再び打球位置へ還元される１群のパチンコ球が循環する循環経路の途中には、前記パチンコ球が摺接して同パチンコ球が自転するように形成されたクリーニング部材と、前記パチンコ球を移送する球送り出し機構とがそれぞれ設置され、しかも、前記循環経路の途中にはパチンコ球が相互に接して配列される配列通路部が設けられ、前記配列通路部の内側に前記クリーニング部材が配置され、前記配列通路部の近傍には前記球送り出し機構が配置されることによって、同球送り出し機構の送り力が前記配列通路部に配列されたパチンコ球の相互の接触によって伝達されるように構成され、前記クリーニング部材が配設された前記配列通路部に蓋板が取外し可能に設けられ、この蓋板を取外すことによって前記クリーニング部材が交換可能となっていることを特徴とする循環式パチンコ機。」と訂正する。
２．上記１の特許明細書の特許請求の範囲の請求項１の訂正と整合させるため、明りようでない記載の釈明を目的として、
（１）特許明細書の段落【０００４】の記載を、
「【課題を解決するための手段】　この発明の請求項１に係る循環式パチンコ機は、発射レール上の打球位置から発射されて再び打球位置へ還元される１群のパチンコ球が循環する循環経路の途中には、前記パチンコ球が摺接して同パチンコ球が自転するように形成されたクリーニング部材と、前記パチンコ球を移送する球送り出し機構とがそれぞれ設置され、しかも、前記循環経路の途中にはパチンコ球が相互に接して配列される配列通路部が設けられ、前記配列通路部の内側に前記クリーニング部材が配置され、前記配列通路部の近傍には前記球送り出し機構が配置されることによって、同球送り出し機構の送り力が前記配列通路部に配列されたパチンコ球の相互の接触によって伝達されるように構成され、前記クリーニング部材が配設された前記配列通路部に蓋板が取外し可能に設けられ、この蓋板を取外すことによって前記クリーニング部材が交換可能となっている。また、請求項２に係る循環式パチンコ機は、請求項１に記載の循環式パチンコ機であって、クリーニング部材は、球送り出し機構の下流側に位置する配列通路部に対してのみ配置されている。」と訂正する。
（２）特許明細書の段落【０００５】の記載を、
「【作用】　したがって、請求項１に係る循環式パチンコ機において、発射レール上の打球位置から発射されて再び打球位置へ還元される１群のパチンコ球が循環する循環経路の途中に配置されたクリーニング部材に対しパチンコ球が摺接して同パチンコ球が自転することによって、これらパチンコ球が磨かれる。特に、前記循環経路の配列通路部の内側に前記クリーニング部材が配置され、球送り出し機構の送り力が、前記配列通路部に配列されたパチンコ球の相互の接触によって伝達される構成にしてある。このため、配列通路部の各パチンコ球には前記球送り出し機構の送り力がそれぞれ作用する。特に、前記クリーニング部材が配設された前記配列通路部に蓋板が取外し可能に設けられるため、この蓋板を取外すことによって前記クリーニング部材を交換することができる。また、請求項２に係る循環式パチンコ機において、球送り出し機構の下流側に位置する配列通路部に対してのみ配置されたクリーニング部材によってパチンコ球を効率よく磨くことができる。さらに、球送り出し機構の上流側に位置する配列通路部等の通路部分に対してクリーニング部材を配置するスペースを確保する必要がないばかりでなく、その通路部分において、クリーニング部材に干渉してパチンコ球が詰まる不具合も生じない。」と訂正する。
（５４）【発明の名称】
循環式パチンコ機
（５７）【特許請求の範囲】
　【請求項１】　発射レール上の打球位置から発射されて再び打球位置へ還元される１群のパチンコ球が循環する循環経路の途中には、前記パチンコ球が摺接して同パチンコ球が自転するように形成されたクリーニング部材と、前記パチンコ球を移送する球送り出し機構とがそれぞれ設置され、
　しかも、前記循環経路の途中にはパチンコ球が相互に接して配列される配列通路部が設けられ、
　前記配列通路部の内側に前記クリーニング部材が配置され、
　前記配列通路部の近傍には前記球送り出し機構が配置されることによって、同球送り出し機構の送り力が前記配列通路部に配列されたパチンコ球の相互の接触によって伝達されるように
構成され、
　前記クリーニング部材が配設された前記配列通路部に蓋板が取外し可能に設けられ、この蓋板を取外すことによって前記クリーニング部材が交換可能となっている
　【請求項２】　請求項１に記載の循環式パチンコ機であって、クリーニング部材は、球送り出し機構の下流側に位置する配列通路部に対してのみ配置されていることを特徴とする循環式パチンコ機。
【発明の詳細な説明】
　【０００１】
　【産業上の利用分野】
　この発明は循環式パチンコ機においてパチンコ機内で循環させて回収使用する１群のパチンコ球の循環制御装置に関し、とくにクリーニング機構を備えた循環制御装置に関する。
　【０００２】
　【従来の技術】
　循環式パチンコ機では機内に封入された一定個数のパチンコ球を使用し、打球位置へ送り込まれたパチンコ球を順次発射し、発射されたパチンコ球を回収して再び打球位置へ送り込み、パチンコ機内を循環させるように構成されている。
　【０００３】
　【発明が解決しようとする課題】
　本発明は循環式パチンコ機において、循環するパチンコ球をパチンコ機内で自動的に磨くことを課題とするものである。
　【０００４】
　【課題を解決するための手段】
　この発明の請求項１に係る循環式パチンコ機は、発射レール上の打球位置から発射されて再び打球位置へ還元される１群のパチンコ球が循環する循環経路の途中には、前記パチンコ球が摺接して同パチンコ球が自転するように形成されたクリーニング部材と、前記パチンコ球を移送する球送り出し機構とがそれぞれ設置され、
　しかも、前記循環経路の途中にはパチンコ球が相互に接して配列される配列通路部が設けられ、
　前記配列通路部の内側に前記クリーニング部材が配置され、
　前記配列通路部の近傍には前記球送り出し機構が配置されることによって、同球送り出し機構の送り力が前記配列通路部に配列されたパチンコ球の相互の接触によって伝達されるように
構成され、
　前記クリーニング部材が配設された前記配列通路部に蓋板が取外し可能に設けられ、この蓋板を取外すことによって前記クリーニング部材が交換可能となっている。
　また、請求項２に係る循環式パチンコ機は、請求項１に記載の循環式パチンコ機であって、クリーニング部材は、球送り出し機構の下流側に位置する配列通路部に対してのみ配置されている。
　【０００５】
　【作用】
　したがって、請求項１に係る循環式パチンコ機において、発射レール上の打球位置から発射されて再び打球位置へ還元される１群のパチンコ球が循環する循環経路の途中に配置されたクリーニング部材に対しパチンコ球が摺接して同パチンコ球が自転することによって、これらパチンコ球が磨かれる。
　特に、前記循環経路の配列通路部の内側に前記クリーニング部材が配置され、球送り出し機構の送り力が、前記配列通路部に配列されたパチンコ球の相互の接触によって伝達される構成にしてある。
　このため、配列通路部の各パチンコ球には前記球送り出し機構の送り力がそれぞれ作用する。
　特に、前記クリーニング部材が配設された前記配列通路部に蓋板が取外し可能に設けられるため、この蓋板を取外すことによって前記クリーニング部材を交換することができる。
　また、請求項２に係る循環式パチンコ機において、球送り出し機構の下流側に位置する配列通路部に対してのみ配置されたクリーニング部材によってパチンコ球を効率よく磨くことができる。さらに、球送り出し機構の上流側に位置する配列通路部等の通路部分に対してクリーニング部材を配置するスペースを確保する必要がないばかりでなく、その通路部分において、クリーニング部材に干渉してパチンコ球が詰まる不具合も生じない。
　【０００６】
　【発明の効果】
　本発明は前記したように構成してあるので、貯留される各パチンコ球に付着した汚れ等をパチンコ機内で自動的に拭い取ってパチンコ球を個々に磨くことができ、パチンコ機から取り出したパチンコ球をパチンコ機外で磨いて清浄化する装置が不要となる効果がある。
　特に、循環経路に設けた配列通路部の各パチンコ球には球送り出し機構の送り力がそれぞれ作用する。この結果、配列通路部においてクリーニング部材との接触によってパチンコ球が詰まる不具合を防止することができる。さらに、配列通路部にはパチンコ球の直径ピッチで数多くのパチンコ球を相互に接した状態で保留することが可能であり、また、配列通路部に沿って送り出し機構を配設する必要もない。この結果、クリーニング部材を配設する配列通路部を小さくすることが可能となり、ひいては循環経路全体がコンパクト化する。
　【０００７】
　【実施例】
　次に、本発明の１実施例を図面にしたがって説明する。
　一定個数のパチンコ球が機内に封入され、ゲームに必要な事項を記録したカード（遊技券）のためのカード処理システムを備えた循環式パチンコ機において、木製の外枠に前方への回動可能に軸支された方形枠状の枠１の裏面には枠１の開口部とほぼ等しい形状の開口部を有する方形枠状のメインセット枠２が装着され、このメインセット枠２の下部に垂立された下板２ａの裏面には横長の長方形状の取付基板３が取付けられている。メインセット枠２の開口部内には裏セット枠３０を介して遊技盤２５が脱着可能に嵌め込まれている。取付基板３は片側の下コーナ部付近に切欠き部を有する第１取付板３Ａと、この第１取付板３Ａの切欠き部に嵌め込まれた第２取付板３Ｂとに分割されている。
　【０００８】
　メインセット枠２の取付基板３の第１取付板３Ａの前面の片側には発射されたパチンコ球を遊技盤面へ誘導する発射レール４がレール台を介して内方に向って上傾した姿勢で取付けられている。
　【０００９】
　取付基板３の裏面の一端部に組付けられた発射制御機構において、取付基板３の第２取付板３Ｂの裏面にビス着された発射モータセット板５には発射モータ６が取付けられ、この発射モータ６の出力軸６ａには凸部７ａを有する１山のモータカム７が取付けられている。
　【００１０】
　発射モータセット板５の下端に形成された角筒状の取付部５ａ内には発射制御回路がプリントされたモータ制御基板８が装入されている。
　【００１１】
　モータカム７の内方で取付基板３に回動可能に貫挿支持された支軸１９の後端にはハンマセット板９が固定され、このハンマセット板９のモータカム７側端部にはモータカム７に摺接して転動するカムフォロア９ａが回転可能にピン着され、ハンマセット板９の反モータカム９側端部には引きばねローラ９ｂがピン着され、ハンマセット板９の上部には後方へ延出された延出部１０ａと、この延出部１０ａの前端に直交状に連接された垂立部１０ｂと、この垂立部１０ｂの下端に連接されてループ状に湾曲された取付部１０ｃとを有する球送りワイヤ１０の取付部１０ｃがボルト８１によって締着されている。
　【００１２】
　取付基板３に貫設された横長状のガイド孔３ａ内には横一列に配列された複数個の調整孔１２ａが貫設されてハンマセット板９側へ延出された延出部１２ｂを有する引きばね片１２が左右方向への移動可能に貫挿され、この引きばね片１２と、ハンマセット板９の引きばねローラ９ｂとにはパチンコ球を発射させる強さを設定する引きばね１３が掛架されている。
　【００１３】
　モータカム９の下方には枠１の下端に軸支されて枠１の前方に突出されたハンドルにハンドル軸を介して連動可能に連結されたハンドル連動カム１４と、この連動カム１４に対接されたローラ１５ａを備え、連動カム１４に対向して左右方向への揺動可能に軸支された可動片１５とが配設されている。
　【００１４】
　引きばね片１２の下方には取付基板３に引きばね片１２に対向して左右方向への揺動可能に吊支されて揺動角度が７段階に調整される球とび調整片１６が配設され、この球とび調整片１６の上部付近には後方へ突出された支軸１６ａが挿着されている。
　【００１５】
　球とび調整片１６に支軸１６ａを介して揺動可能に軸支された引きばね駆動アーム１７の上端には引きばね片１２の調整孔１２ｂ内に選択的に係入されて引きばね片１２と引きばね駆動アーム１７とを連動可能に連繋するピン１７ａが突設され、引きばね駆動アーム１７の下端には外端が可動片１５の上端に繋止されて可動片１５と引きばね駆動アーム１７とを連動可能に連結する連結ワイヤ１８の内端が繋止されている。
　【００１６】
　ハンドルを回動してハンドル連動カム１４の回動角度を調整すると、可動片１５および引きばね駆動アーム１７が揺動して引きばね片１２が左右方向へ進退動し、引きばね１３が伸縮して引きばね１３の弾発力が増減する。
　【００１７】
　ハンマセット板９が嵌着された前記支軸１９の前端には発射レール４の基端部上の打球位置のパチンコ球を叩打して発射レール４上から遊技盤面へ向けて発射させる打球ハンマ２０がハンマセット板９との共同回動動作可能に嵌着され、この打球ハンマ２０はボルト８１によって球送りワイヤ１０とともにハンマセット板９に締結され、打球ハンマ２０の上端には発射レール４側へ突出された叩打部２０ａが形成されている。
　【００１８】
　取付基板３の前面に打球ハンマ２０の上下端付近にそれぞれ対向して取着された上下１対の当てゴムホルダ２２には打球ハンマ２０が打球後に衝突して打球ハンマ２０の回動端を規定する当てゴム２３がそれぞれ嵌装されている。
　【００１９】
　取付基板３には発射レール４の基端部の上方に配設されてパチンコ球を取付基板３の裏側から発射レール４の基端部上へ送り込むための球送り口２６が開口されるとともに、取付基板３の前面で打球位置の若干上方には打球位置のパチンコ球の転落を阻止する球止め片２７が取付けられている。
　【００２０】
　取付基板３の裏面には先端部が球送り口２６付近に配設された横長状の球送り樋７０が球送り口２６側へ若干下傾して取付けられ、メインセット枠２の下部裏側にはパチンコ球を受入れて待機させかつ打球位置へ誘導して還元させる待機誘導部５２Ｅが発射制御機構に対向して配設されている。
　【００２１】
　球送り樋７０には取付基板３の後方に垂立された横長状の後壁板７０ａと、この後壁板７０ａの上端縁に連接されて前方へ横出された上壁板７０ｂと、後壁板７０ａの前面下部にその基端から先端の内方にわたって先端に向って下傾した状態で連接されて前方へ横出され、パチンコ球が横一列に配列されて転動可能に載置される底壁板７０ｃと、後壁板７０ａおよび底壁板７０ｃにわたって開設された複数個の透視窓７０ｄとが形成され、取付基板３と球送り樋７０の後壁板７０ａとの間で底壁板７０ｃ上には適数個のパチンコ球を待機させて１個づつ打球位置へ送り込む第８循環通路４６Ｈが形成され、第８循環誘導通路４６Ｈの先端は球送り口２６に対置されている。
　【００２２】
　球送り樋７０の後壁板７０ａの先端には前方へ横出された上支軸７３および下支軸７４が挿着され、この下支軸７４には水平状の上片２４ａと、この上片２４ａの内端付近に直交状に垂下された下片２４ｂとを有する球送りアーム２４が前記送りワイヤ１０の上端に対向して左右方向への揺動可能に支持されている。
　【００２３】
　ハンマセット板９が反時計回り方向へ回動して球送りワイヤ１０が外方へ傾倒したときには球送りアーム２４の下片２４ｂが球送りワイヤ１０によって外方へ押動されて球送りアーム２４が時計回り方向へ揺動する。
　【００２４】
　球送り樋７０の上支軸７３には球送り樋７０の先端部内に装入されて球送りアーム２４の上片２４ａ上に設置された球送り制御片２８が球送り口２６に対向して揺動可能に支持されている。この球送り制御片２８には上面が前方に向って下傾する凹曲面状で１個のパチンコ球の受取りおよび送り出しが可能な球受け部２８ａと、この球受け部２８ａの基端に連接されて上支軸７３が貫挿されたボス部２８ｂと、このボス部２８ｂに連接されて外方へ延出された延出部２８ｃとが形成され、この延出部２８ｃの先端には球送りアーム２４の上片２４ａ上に載置された錘り２９がピン着されている。
　【００２５】
　球送り制御片２８は錘り２９の重量によって常には球受け部２８ａが上動した揺動姿勢で保持され、球受け部２８ａの先端縁が球送り樋７０の底壁板７０ｃ上の先頭のパチンコ球に突き当てられている。球送りアーム２４の下片２４ｂが球送りワイヤ１０で外方へ押動されたときには錘り２９が球送りアーム２４の上片２４ａで押上げられて球送り制御片２８の球受け部２８ａが下方へ変位し、球受け部２８ａの先端縁が球送り樋７０の底壁板７０ｃの先端縁に整合され、底壁板７０ｃ上の先頭のパチンコ球が球受け部２８ａ上へ移載されて前方へ送り出され、球送り口２６を通り抜けて発射レール４の基端上の打球位置へ移載される。
　【００２６】
　球送り樋７０の底壁板７０ｃの中央部の下側には第８循環通路４６Ｈの中央部付近で待機するパチンコ球の有無を検出する待機球検出スイッチ（近接スイッチ）７５が取付けられ、第８循環通路４６Ｈの出口から待機球検出スイッチ７５の上方位置までの間に配列される規定数のパチンコ球が不足した待機球敷不足時には待機球検出スイッチ７５が検出信号を発信する。
　【００２７】
　メインセット枠２の取付基板３の上端に間隙を隔てて垂立された左右の壁板３ｃ，３ｄのうち、一方の壁板３ｃの内端には上部の正面形状が逆Ｖ形状で上部が壁板３ｃ上へ突出されて下部の正面形状が円弧状の球止め部材４０が連接されている。
　【００２８】
　球止め部材４０内の下部には発射レール４上から発射されたパチンコ球のうち、発射レール４側へ戻ったファール球を受止めて落下させる球止め片４２がその先端面を露出した状態で設置されている。
　【００２９】
　壁板３ｄの内端付近の下方で取付基板３の前面には図６に示すように壁板３ｄの内端縁の下端の内方にファール球を通過させる球通し口４３を隔てて縦設された内縦樋板４４ａと、この内縦樋板４４ａの下端に連接されて外方へ若干下傾した状態で横設された横樋板４４ｂと、この上横樋板４４ｂの外端に連接されて若干外傾状に縦設された外縦樋板４４ｃと、この外縦樋板４４ｃの下端に連接されて外方へ若干下傾した状態で横設され、外端付近の端縁が円弧状に湾曲された中横樋板４４ｄと、この中横樋板４４ｄの下方に並行状に横設されて内端付近の正面形状が円弧状に形成され、外端縁付近の平面状が円弧状に湾曲された下横樋板４４ｅと、中、上横樋板４４ｄ，４４ｅの外端付近に連接されて横断面形状が円弧状に湾曲された蓋板４４ｆとを有するファール球用の表誘導樋４４が突出形成されている。
　【００３０】
　表誘導樋４４の上横樋板４４ｂの外端付近と、中横樋板４４ｄの内端付近とにはファール球が通過する上下１対の球通し口４５が開口されている。
　【００３１】
　表誘導樋４４はその各樋板４４ａ〜４４ｅの前端面に当接されて外端縁が蓋板４４ｆの内端縁に掛止された表蓋４７によって覆蓋され、表蓋４７と取付基板３との間で表誘導樋４４内には回収されたファール球が集合して通り抜ける第１循環通路４６Ａが形成され、取付基板３の前側の中央部にはファール球を回収して送り出す表回収誘導部５２Ａが配設されている。
　【００３２】
　表誘導樋４４の上，中横樋板４４ｂ，４４ｄ間には上下球通し口４５間に挿入された検出口６９ａを有し、第１循環通路４６Ａを通り抜けるパチンコ球を検出する前通過球検出スイッチ６９が挟み込まれている。
　【００３３】
　取付基板３の上部には中横樋板４４ｄの外端付近と下横樋板４４ｅの外端付近との間に開設されて蓋板４４ｆによってカバーされ、第１循環通路４６Ａの先端に連通された方形孔状のファール球通し口４８が形成され、第１循環通路４６Ａへ導入されたファール球はファール球通し口４８を通り抜けて第８循環通路４６Ｈの入口付近へ導入される。
　【００３４】
　メインセット枠２の裏面の開口縁には中央部に開口部３０ｂを有し、メインセット枠２にヒンジを介して後方への回動可能に組付けられて遊技盤２５の裏面をカバーする裏セット枠３０が添設されている。
　【００３５】
　裏セット枠３０はメインセット枠２の縦枠部２ｂに取付けられた軸受け８０を介してメインセット枠２に後方への回動可能に軸支されるとともに、裏セット枠３０はメインセット枠２の裏面の開口縁付近に回動可能にビス着された複数個の締め具３１によって遊技盤２５をサンドイッチ状に挟み込んだ状態でメインセット枠２に解放可能に固止されている。
　【００３６】
　裏セット枠３０の下枠部３０ａの前面にはその左右端部付近からその中央部に向ってそれぞれ緩やかな勾配で下傾する左右の帯板状の集合樋３２，３２が突出形成されて間隙を隔てて並設され、この両集合樋３２の内端縁３２ａは高低差が付与されている。
　【００３７】
　裏セット枠３０の下枠部３０ａの前面中央部には一方の集合樋２２の内端縁３２ａに連接されて垂下された第１仕切り板３５と、他方の集合樋３２の内端縁３２ａの下方に配設されて第１仕切り壁３５の側方に間隙を隔てて垂立された垂立片３６ａおよびこの垂立片３６ａの上端に直交状に連接された上片３６ｂを有する第２仕切り板３６とが突出形成されている。
　【００３８】
　裏セット枠３０の下枠部３０ａの前面にはこの下枠部３０ａの前方に垂立された横長状の裏板３７が並着され、この裏板３７の下端の中央部付近には球通し窓３８が開口されている。
　【００３９】
　裏セット枠３０の下枠部３０ａと裏板３７との間で両仕切り壁３５，３６間には遊技盤２５の裏面から両集合樋３２上へ転落したセーフ球およびアウト球を通過させる第２循環通路４６Ｂが垂直状に形成されるとともに、一方の集合樋３２の内端付近と第２仕切り壁３６の水平片３６ｂとの間には第２循環通路４６Ｂを通過したセーフ球およびアウト球を検出する後通過球検出スイッチ７６が挟み込まれている。
　【００４０】
　遊技盤２５の裏面へ送り出されたセーフ球および遊技盤２５の下端のアウト球受口２５ａから送り出されたアウト球は両集合樋３２上へ転落して内方へ転動し、第２循環通路４６Ｂを通り抜けて球通し窓３８内へ導入される。
　【００４１】
　取付基板３の裏面の上端付近には後方へ水平状に突出された支持板３ｅが取付基板３のほぼ全長にわたって形成され、この支持板３ｅの中央部付近には球通し窓３８を通り抜けて落下したセーフ球およびアウト球を通過させる切り欠き部３ｆが形成されている。
　【００４２】
　取付基板３の裏面中央部の上端付近には図７に示すように球通し窓３８の下方に縦設されて支持板３ｅの切り欠き部３ｆの端縁に連接された縦樋板５０ａと、この縦樋板５０ａの下端に連接されて内方へ下傾した上樋板５０ｂと、この上樋板５０ｂの先端に基接されて上樋板５０ｂの傾斜方向と同方向へ下傾した中樋板５０ｃと、この中樋板５０ｃの両端部にそれぞれ連接されて正面形状がほぼ左右対称の円弧状に湾曲した左右の下樋板５０ｄ，５０ｅと、中樋板５０ｃおよび右下樋板５０ｅの側方に設置されて上部が垂直状で下部が円弧状の側樋板５０ｆと、左下樋板５０ｄの円弧中心位置に配設された突片５０ｇとを有する裏誘導樋５０が突出形成され、この裏誘導樋５０は各樋板５０ａ〜５０ｆおよび突条５ｇの後端縁に当接された裏蓋５１によって覆蓋されている。裏蓋５１にはパチンコ球を透視するための透視窓５１ａ〜５１ａが開設されている。
　【００４３】
　取付基板３と裏蓋５１との間で、上樋板５０ｂ上、中樋板５０ｃ上および右下樋口板５０ｅと側樋板５０ｆとの間にはアウト球およびセーフ球を貯留および通過させる第３循環通路４６Ｃが形成され、左下樋板５０ｄと突片５０ｇとの間には第８循環通路４６Ｈに連通された第７循環通路４６Ｇが第８循環通路４６Ｈの入口に向って上傾した状態で形成され、取付基板３の後側の中央部にはセーフ球およびアウト球を回収して送り出す裏回収誘導部５２Ｂが配設されている。
　【００４４】
　取付基板３の前面中央部の下端付近には前記待機球検出スイッチ７５の検出信号に基づいて回転制御されるステッピングモータ型の球送りモータ５８が取付けられるとともに、取付基板３の裏面中央部には裏誘導樋５０の下方に連設されて取付基板３を挟んで球送りモータ５８に締結された樋本体５４が取付けられている。
　【００４５】
　樋本体５４には縦長状の樋部５５と、この樋部５５の下部に連接された後方開放の箱形状の取付部５６とが形成され、樋部５５にはその後面の両側縁に垂直方向に沿って突設された左右の外突条５５ａと、その後面の中央部に垂直方向に沿って突設された中突条５５ｂとが並行状に形成されるとともに、両外突条５５ａと中突条５５ｂとの間には左右１対の溝部５５ｃ，５５ｃが並行状に形成されている。
　【００４６】
　樋本体５４の樋部５５の下端には丸孔状の前通し孔５５ｄが開口され、この前通し孔５５ｄの孔縁の下部には円弧状に湾曲されて両外突条５５ａの下端に連接された下突条５５ｅが突設され、樋部５５の左右端面の上端にはそれぞれ軸部５５ｆが横出されている。
　【００４７】
　樋本体５４の取付部５６にはモータ基板ボックス５７の前端部が挿入され、このモータ基板ボックス５７内には球送りモータ５８が接続されたモータ基板５９が設置されている。
　【００４８】
　樋本体５４の樋部５５の後側に重ね合わされた樋カバー６０の上端の左右端部にはそれぞれ樋本体５４の軸部５５ｆが嵌挿された左右１対の軸受部６０ａが突出形成され、樋カバー６０は樋本体５４に両軸部５５ｆおよび両軸受部６０ａを介して上方への回動可能に連結されている。
　【００４９】
　樋カバー６０には樋本体５４の両溝部５５ｃにそれぞれ対向して縦長状の溝部６０ｂ，６０ｂが左右並行状に形成されるとともに、樋カバー６０の下端には樋本体５４の前通し孔５５ｄに対向して丸孔状の後通し孔６０ｃが開口され、溝部６０ｂの両側壁面には横断面が三角形状のリブ６０ｄがパチンコ球の通過不能な間隙を隔てて垂直方向に沿って相対向状に突設されている。
　【００５０】
　裏回収誘導部５２Ｂの下方には樋本体５４の両溝部５５ｃと樋カバー６０の両溝部６０ｂとによって形成されて、パチンコ球が縦２列に配列されて貯留される貯留誘導部５２Ｃが配設され、この貯留誘導部５２Ｃには第４循環通路４６Ｄおよび第６循環通路４６Ｆが左右並行状に形成され、第４循環通路４６Ｄの上端は第３循環通路４６Ｃの下端に連通され、第６循環通路４６Ｆの上端は第７循環通路４６Ｇの下端に連通されている。そして、図１に示すように、前記第４循環通路４６Ｄ及び第６循環通路４６Ｆにはパチンコ球が相互に接して配列されるようになっており、これら第４循環通路４６Ｄ及び第６循環通路４６Ｆを配列通路部としている。
　【００５１】
　貯留誘導部５２Ｃに貯留されたパチンコ球を必要時に待機誘導部５２Ｄへ送り出すために設けた球送り出し機構において、樋本体５４の前通し孔５５ｄと樋カバー６０の後通し孔６０ｃ内には球送りモータ５８の出力軸５８ａに嵌着された球送り歯車６８が装入され、この球送り歯車６８の外周面には縦断面形状が円弧状で周方向へ６０°の回転対称状に配列された６個の球受け部６８ａが凹設され、球送り歯車６８は各球受部６８ａが第４循環通路４６Ｄの直下位置および第６循環通路４６Ｆの直下位置へ順次変位するように回転制御される。
　【００５２】
　第４、第６循環通路４６Ｄ，４６Ｆの下方には貯留誘導部５２Ｃのパチンコ球を上方から上方へＵターン状に曲進移送させる第５循環通路４６Ｅが球送り歯車６８の各球受け部６８ａによって形成されるとともに、貯留誘導部５２Ｃの途中には球送り出し部５２Ｄが配設されている。
　【００５３】
　球送り歯車６８は球送りモータ５８によって時計回り方向へ６０°づつ間欠的に回転駆動され、球送り歯車６８が６０°回転すると、第４循環通路４６Ｄ内の先頭のパチンコ球が第５循環通路４６Ｅ内へ進入して球送り歯車６８の球受部６８ａで受止められ、第５循環通路４６Ｅ内の先頭パチンコ球が第６循環通路４６Ｆ内へ進入し、第６循環通路４６Ｆ内の先頭のパチンコ球が押出されて第７循環通路４６Ｇ内へ進入し、第７循環通路４６Ｇ内の先頭のパチンコ球が押出されて第８循環通路４６Ｈ内へ進入する。すなわち、球送り歯車６８の回転動作に基づく送り力は、配列通路部とての第６循環通路４６Ｆに配列されたパチンコ球の相互の接触によって伝達されるようになっている。
　【００５４】
　樋本体５４の樋部５５の中央部付近の前側には取付基板３に凹設された凹部３ｇ内に嵌挿されて第４循環通路４６Ｄ内のパチンコ球の不足を検出して検出信号を発信する貯留球検出スイッチ７７が設置され、球詰りなどの原因によって第４循環通路４６Ｄ内のパチンコ球が不足したときにはこの貯留球検出スイッチ７７の検出信号に基づいて貯留球数不足状態が外部に報知される。
　【００５５】
　パチンコ機内には打球位置から発射されたパチンコ球のうち、セーフ球およびアウト球が打球位置→裏回収誘導部５２Ｂ→貯留誘導部５２Ｃ→待機誘導部５２Ｄ→打球位置の順にパチンコ機内を循環する循環経路と、ファール球が打球位置→表回収誘導部５２Ａ→待機誘導部５２Ｄ→打球位置の順にパチンコ機内を循環する循環経路とが形成される。
　【００５６】
　樋カバー６０の後側には樋カバー６０の左側の溝部６０ｂを覆蓋する蓋板６３が重ね合わされ、この蓋板６３には縦長状の蓋部６３ａと、この蓋部６３ａの側縁には樋カバー６０の反係止部６３ｂ側の側縁６０ｅに係合された係合部６３ｃが縦設され、蓋板６３はこの係合部６３ｃと係止部６３ｂとによって樋カバー６０に取外し可能に組付けられている。
　【００５７】
　蓋板６３の蓋部６３ａの上下端部には楕円形状の通し孔６３ｄがそれぞれ貫設されるとともに、蓋部６３ａの前面には樋カバー６０の左側の溝部６０ｂに対置された縦長状の溝部６４が両通し孔６３ｄ間にわたって凹設されている。
　【００５８】
　蓋板６３の溝部６４と、樋カバー６０の左側の溝部６０ｂの両リブ６０ｃとの間に縦長状に形成されて第６循環通路４６Ｆに連通された空隙部６５内には第６循環通路４６Ｆを通過するパチンコ球に摺接して第６循環通路４６Ｆ内のパチンコ球を清浄化する左右１対の紐状のクリーニング部材６６，６６が並行状に挿通されている。蓋板６３を樋カバー６０から取外すと、両クリーニング部材６６を空隙部６５内から取出して交換することができる。
　【００５９】
　第６循環通路４６Ｆ内に貯留された各パチンコ球は第７循環通路４６Ｇに向けて間欠送りされる間に両クリーニング部材６６に摺接して自転しながら移行し、貯留誘導部５２ｃに貯留された各パチンコ球はその表面に付着した汚れ等が両クリーニング部材６６に拭い取られて磨かれかつ清浄化された状態で貯留誘導部５２Ｃから送り出されて待機誘導部５２Ｅへ送り込まれる。
　【００６０】
　続いて、上記した構成をもつ実施例の作用と効果を説明する。
　本例では、発射レール４上の打球位置から打球ハンマ２０によって発射された後再び打球位置へ還元されてパチンコ機内を循環する１群のパチンコ球の循環経路の途中に配設された貯留誘導部５２Ｃにはこの貯留誘導部５２Ｃに貯留されて必要時に待機誘導部５２Ｄへ向けて送り出されるパチンコ球が摺接して自転するように紐状に形成された１対のクリーニング部材６６を並行状に設置してある。
　【００６１】
　このため、貯留誘導部５２Ｃに貯留される各パチンコ球に付着した汚れ等をパチンコ機内で自動的に拭い取って各パチンコ球を個々に磨くことができ、パチンコ機から取り出したパチンコ球をパチンコ機外で磨いて清浄化する装置が不要となる効果がある。
【図面の簡単な説明】
　【図１】
　本発明の１実施例を示す要部の一部破断裏面図である。
　【図２】
　メインセット枠，遊技盤および裏セット枠の分解斜視図である。
　【図３】
　要部の裏面図である。
　【図４】
　球送り樋付近の分解斜視図である。
　【図５】
　図１のＸ１−Ｘ１線拡大断面図である。
　【図６】
　表回収誘導部の分解斜視図である。
　【図７】
　裏回収誘導部および貯留誘導部付近の分解斜視図である。
　【図８】
　図１のＸ２−Ｘ２線拡大図である。
　【図９】
　図１のＸ３−Ｘ３線拡大断面図である。
　【図１０】
　図３のＸ４−Ｘ４線拡大断面図である。
　【図１１】
　図１のＸ５−Ｘ５線拡大断面図である。
　【図１２】
　図１のＸ６−Ｘ６線拡大断面図である。
　【符号の説明】
　５２Ａ　表回収誘導部
　５２Ｂ　裏回収誘導部
　５２Ｃ　貯留誘導部
　５２Ｄ　待機誘導部
　６６　クリーニング部材